(57)【要約】【課題】食品を収容する複数の凹部とスプーンの収容部とを有するコンパクトな形状の食品包装用トレー及び該トレーを利用した食品包装体を提供する。【解決手段】この食品包装用トレー１は、食品を収容する複数の凹部１０，３０を有し、少なくとも１つの凹部３０の開口部周縁に、スプーン６０が前記凹部３０の開口部を跨いで配置されるように、スプーン６０の両端部を保持する一対の保持溝５１，５２が形成されており、該凹部３０に食品４０を収容してスプーン６０を保持溝５１，５２に保持させたとき、該食品４０がスプーン６０によって凹部３０内に保持されるように構成されている。そして、食品包装体は、上記スプーン６０が配置される凹部３０にカップ入りアイス４０を収容し、その状態で保持溝５１，５２にスプーン６０を保持し、その他の凹部１０に冷凍ケーキ類２０を収容して、全体を包装材で包装してなる。【選択図】図１
2010202262.tif 000002
【特許請求の範囲】
【請求項１】
食品を収容する複数の凹部を有し、少なくとも１つの凹部の開口部周縁に、スプーンが前記開口部を跨いで配置されるように前記スプーンの両端部を保持する一対の保持溝が形成されており、前記凹部に食品を収容して前記スプーンを前記保持溝に保持させたとき、該食品が前記スプーンによって前記凹部内に保持されるように構成されていることを特徴とする食品包装用トレー。
【請求項２】
前記凹部が２つ設けられており、前記保持溝の１つは、前記凹部どうしの間に設けられたスペース上に形成され、前記保持溝のもう１つは、前記２つの凹部の中心を結ぶ線に対して前記スプーンが斜めに配置されるように、前記スプーンが配置される凹部の円周上に配置されている請求項１記載の食品包装用トレー。
【請求項３】
前記２つの凹部の間の、前記保持溝が形成されていないスペース上には、前記凹部の開口を部分的に広げる指入れ用凹部が形成されている請求項２記載の食品包装用トレー。
【請求項４】
前記凹部の少なくとも１つには、その底面に上げ底状の凸部が設けられており、該凸部によって該凹部に収容される食品に適合するように前記凸部の支持高さが調節されており、全ての凹部の底面が同じ平面上に位置するように形成されている請求項１〜３のいずれか１つに記載の食品包装用トレー。
【請求項５】
請求項１〜４のいずれか一つに記載の食品包装用トレーの、前記スプーンが配置される凹部にカップ入りアイスが収容され、その状態で前記保持溝に前記スプーンが保持され、その他の凹部に冷凍ケーキ類が収容されており、全体が包装材で包まれていることを特徴とする食品包装体。
【発明の詳細な説明】
【技術分野】
【０００１】
本発明は、食品を収容する複数の凹部とスプーンの収容部とを有するコンパクトな形状の食品包装用トレー及び該トレーを利用した食品包装体に関する。
【背景技術】
【０００２】
従来から、菓子、弁当等の食品を収容する容器として、仕切りを有する各種トレー容器が用いられている。特に、内容物の大きさ、形状に合わせて凹部が成形されたトレーは、凹部に内容物を収容することにより内容物の位置が規制されるので、輸送や販売時の内容物保護性に優れ、内容物が偏ったりすることがなく、外観にも優れ、コスト的にも安価であることから広く用いられている。また、トレーの凹部に収容した内容物を取り出すための、楊枝、ピック、スティック、箸、フォ−ク、スプーン等の飲食具をトレーに一体収容した容器も広く知られている。
【０００３】
例えば、下記特許文献１には、食品を収容する凹部と棒状の飲食具を収容する凹部とを有するトレーと、このトレーの各凹部に渡って被せられる蓋材とを備え、飲食具を収納する凹部の底面に、蓋材開封時に前記飲食具を傾斜させるための突起部及び／又は段部を有し、蓋材封止時には、飲食具が前記突起部及び／又は段部に支持され、かつ前記蓋材に規制されてトレー凹部内に収納される食品収納容器が開示されている。
【先行技術文献】
【特許文献】
【０００４】
【特許文献１】特開２００２−２２５９６４
【発明の概要】
【発明が解決しようとする課題】
【０００５】
しかしながら、従来では、上記特許文献１に示されるように、飲食具をトレーに一体収容するにあたり、トレーに飲食具を収容するための飲食具収容用凹部を、食品などの内容物を収容する凹部とは別個独立して設けていた。このため、特に、スプーンなどのような幅広で大きな飲食具の場合においては、飲食具の収納スペースを確保するため、トレー寸法を大型化する必要があった。
【０００６】
したがって、本発明の目的は、食品を収容する複数の凹部とスプーンの収容部とを有するコンパクトな形状の食品包装用トレー及び該トレーを利用した食品包装体を提供することにある。
【課題を解決するための手段】
【０００７】
上記目的を達成するにあたり、本発明の食品包装用トレーは、食品を収容する複数の凹部を有し、少なくとも１つの凹部の開口部周縁に、スプーンが前記開口部を跨いで配置されるように前記スプーンの両端部を保持する一対の保持溝が形成されており、前記凹部に食品を収容して前記スプーンを前記保持溝に保持させたとき、該食品が前記スプーンによって前記凹部内に保持されるように構成されていることを特徴とする。
【０００８】
本発明の食品包装用トレーによれば、少なくとも１つの凹部の開口部周縁に、スプーンの両端部を保持する一対の保持溝が形成されているので、該保持溝にスプーン両端部を保持させることで、凹部の開口部を跨ぐようにしてスプーンを配置できる。このため、トレー内にスプーンを効率よく収納でき、トレー寸法をより小さくできる。また、トレーに収納したスプーンは、その柄の部分が凹部の開口部に位置し、横から挟み込むようにしてトレーから取り出すことができるので、スプーンの取り出しを容易に行える。また、凹部に食品を収容し、スプーンを保持溝に保持させると、該食品がスプーンによって凹部内から抜け止めされて保持されるので、搬送時等に振動が生じても、凹部に収容された食品が、トレー外にこぼれ落ちることを防止でき、内容物の保護性に優れる。
【０００９】
本発明の食品包装用トレーは、前記凹部が２つ設けられており、前記保持溝の１つは、前記凹部どうしの間に設けられたスペース上に形成され、前記保持溝のもう１つは、前記２つの凹部の中心を結ぶ線に対して前記スプーンが斜めに配置されるように、前記スプーンが配置される凹部の円周上に配置されていることが好ましい。この態様によれば、２つの凹部の中心を結ぶ線に対して斜めにスプーンを配置できるので、トレー内にスプーンをより効率よく収容でき、トレーをより小型化できる。
【００１０】
本発明の食品包装用トレーは、前記２つの凹部の間の、前記保持溝が形成されていないスペース上には、前記凹部の開口を部分的に広げる指入れ用凹部が形成されていることが好ましい。この態様によれば、指入れ用凹部から指を入れて、凹部に収容された食品を簡単に取り出すことができる。
【００１１】
また、本発明の食品包装用トレーにおいて、前記凹部の少なくとも１つには、その底面に上げ底状の凸部が設けられており、該凸部によって該凹部に収容される食品に適合するように前記凸部の支持高さが調節されており、全ての凹部の底面が同じ平面上に位置するように形成されていることが好ましい。この態様によれば、高さの異なる食品を収容する場合であっても、凹部の底面に形成された上げ底状の凸部によって該凹部に収容される食品に適合するように支持高さを調節できるので、トレーの底面の高さを一定にすることができ、トレーを設置したときの安定性を高めることができる。
【００１２】
また、本発明の食品包装体は、上記食品包装用トレーの、前記スプーンが配置される凹部にカップ入りアイスが収容され、その状態で前記保持溝に前記スプーンが保持され、その他の凹部に冷凍ケーキ類が収容されており、全体が包装材で包まれていることを特徴とする。
【００１３】
本発明の食品包装体によれば、保持溝に保持したスプーンをトレーから取り外し、該スプーンを使ってアイスを食べることができると共に、冷凍ケーキ類を電子レンジ解凍又は自然解凍して食べることができ、アイスとケーキ類とを同時に堪能できる。また、カップ入りアイスが収容された凹部の開口部には、アイスの上部を跨ぐようにスプーンが配置されているので、搬送中にカップ入りアイスが凹部から飛び出ることを防ぐことができると共に、スプーンを設置するスペースをトレー上に別個設ける必要がなく、スプーンを効率よく収納して、トレー寸法をより小さくできる。また、トレーに収納したスプーンは、凹部の開口部に位置しているので、その柄の部分を横から挟み込むようにしてトレーから容易に取り出すことができる。
【発明の効果】
【００１４】
本発明によれば、トレー上に、スプーンの保持スペースを、食品収容スペースと別個に設ける必要がないので、トレー内にスプーンを効率よく収納でき、トレー寸法をより小さくできる。また、トレーに収納したスプーンは、凹部の開口部に位置しているので、その柄の部分を横から挟み込むようにしてトレーから簡単に取り出すことができる。また、スプーンの保持溝が周縁に形成された凹部に食品を収容し、スプーンを該保持溝に保持させると、該食品がスプーンによって凹部内から飛び出すのを防止できるので、搬送時等に振動が生じても、凹部に収容された食品をしっかりと保持できる。
【図面の簡単な説明】
【００１５】
【図１】本発明の食品包装用トレーを使用した本発明の食品包装体の分解斜視図である。
【図２】本発明の食品包装用トレーの下方から見た斜視図である。
【図３】本発明の食品包装用トレーにカップ入りアイス、スプーン及び冷凍ケーキ類を収容した状態の斜視図である。
【図４】本発明の食品包装体の側断面図である。
【発明を実施するための形態】
【００１６】
以下、図面を用いて本発明の食品包装用トレー及び該トレーを使用した本発明の食品包装体について説明する。
【００１７】
まず、本発明の食品包装用トレーについて説明する。本発明の食品包装用トレー１は、図１〜４に示すように、食品を収容する複数の凹部１０，３０を有している。この実施形態のトレー１は、平行な一対の片の両端部どうしを円弧状に連結した平面形状を有し、それぞれの端部に円弧状の輪郭に沿って凹部１０，３０が形成されている。そして、一方の凹部１０には、冷凍ケーキ類２０が収容され、他方の凹部３０には、カップ入りアイス４０が収容されるようになっている。
【００１８】
トレー１の材質としては特に限定はないが、成形性に優れ、材料コストが低く、生産性に優れるという理由からプラスチックが好ましく用いられる。
【００１９】
冷凍ケーキ類保持用凹部１０は、収納する冷凍ケーキ類２０に適合した形状をなしており、この実施形態では略円筒状をなしている。凹部１０の内径は、収納する冷凍ケーキ類２０の外周よりやや大きい寸法をなし、深さは、冷凍ケーキ類２０を所定個数、この実施形態では３個重ねたときの高さよりもやや深くされている。
【００２０】
冷凍ケーキ類保持用凹部１０の周壁１１には、内周から見て、周方向に沿った一側が内径側に突出した段部をなし、他側が外径側に突出した凹部をなす凹凸模様が、周方向に沿って配列されている。この凹凸模様によって、凹部１０の周壁が補強されると共に、冷凍ケーキ類２０をスプーン６０等で取出しやすくしている。
【００２１】
アイス収容用凹部３０は、カップ入りアイス４０を収納する小径部３１と、該小径部３１の周縁に形成され、カップ入りアイス４０の蓋体４１に適合した形状をなした拡径段部３２と、該拡径段部３２の周縁からほぼ垂直方向に立ちあがった周壁３３によって形成された大径部３４とで構成されている。
【００２２】
小径部３１は、収納するカップ入りアイス４０に適合した形状をなしており、この実施形態では、略円筒状をなしている。小径部３１の内径寸法は、収納するカップ入りアイス４０の外周よりやや大きい寸法をなしている。
【００２３】
小径部３１の周壁には、内周から見て溝状をなし、外周から見て凸条をなす縦リブ３１ａが所定間隔で複数形成されている。この縦リブ３１ａによって、周壁が補強されると共に、カップ入りアイスを取出しやすくしている。
【００２４】
また、図２，４に示すように、アイス収容用凹部３０の底面には、そのほぼ中央に、上げ底状の凸部３１ｂが形成されている。この凸部３１ｂによって、カップ入りアイス４０を収納したとき、カップ入りアイス４０の底面が凸部３１ｂ上に支持され、その蓋体４１が拡径段部３２上にちょうど収容される高さとされている。また、このように少なくとも一方の凹部３０の底面に上げ底状の凸部３１ｂを形成して、収容すべき食品に合わせてその支持高さを調整することにより、２つの凹部１０，３０の底面１３，３１ｃが同一平面上に位置するように設定されている。それによって、トレー１が傾くことなく安定して設置されるようにしている。
【００２５】
大径部３４の内径寸法は、収納するカップ入りアイス４０の蓋体４１の外周よりやや大きい寸法をなしている。そして、冷凍ケーキ類保持用凹部１０の開口部と、アイス収容用凹部３０の開口部とは、それらの外周を囲むように一体に連設されたフランジによって連結されている。このフランジは、トレー１の一方の長辺側に位置するフランジ部分１ａと、他方の長辺側に位置するフランジ部分１ｂと、アイス収容用凹部３０の円周に沿った端部側に位置するフランジ部分１ｃと、冷凍ケーキ類保持用凹部１０の円周に沿った端部側に位置するフランジ部分１ｄとで構成されている。
【００２６】
そして、アイス収容用凹部３０の開口部（大径部３４）の周縁に位置する上記フランジの上面には、スプーン６０の一端を保持する第１スプーン保持溝５１、スプーン６０の他端を保持する第２スプーン保持溝５２、及びカップ入りアイス４０を取出しやすくするための指入れ用凹部５３が形成されている。
【００２７】
上記第１スプーン保持溝５１は、冷凍ケーキ類保持用凹部１０とアイス収容用凹部３０との開口部どうしの間にあって、トレー１の一方の長辺側に位置するフランジ部分１ａ上のスペースに設けられている。また、上記第２スプーン保持溝５２は、トレー１の他方の長辺側に位置するフランジ部分１ｂと、アイス収容用凹部３０の円周に沿った端部側に位置するフランジ部分１ｃとが交わる部分のスペースに設けられている。
【００２８】
このように形成された第１スプーン保持溝５１、第２スプーン保持溝５２に、スプーン６０の両端を保持させることで、図３に示すように、スプーン６０は、冷凍ケーキ類保持用凹部１０とアイス収容用凹部３０との中心を結ぶ線Ａ−Ａに対して斜めに配置される。これによって、トレー１の形状をできるだけコンパクトに維持しつつ、スプーン６０をトレー１上に保持させることが可能となる。なお、第１スプーン保持溝５１及び第２スプーン保持溝５２の位置は、スプーン６０の長さ等に応じて適宜変えることができるが、トレー１をできるだけコンパクト化するためには、少なくとも一方の保持溝を長辺側に位置するフランジ部１ａ又は１ｂ上に設けることが好ましい。
【００２９】
また、上記指入れ用凹部５３は、冷凍ケーキ類保持用凹部１０とアイス収容用凹部３０との開口部どうしの間のスペースであって、第１スプーン保持溝５１が形成された側と反対側のフランジ１ｂに形成されている。これによって、スプーン６０の保持溝５１，５２に干渉することなく、指入れ用凹部５３用のスペースを大きくとることができる。
【００３０】
次に、本発明の食品包装体について説明する。
【００３１】
本発明の食品包装体は、図１，３，４に示されるように、長手方向両端が円弧状をなしたトレー１の、長手方向一端側に設けられた冷凍ケーキ類保持用凹部１０に冷凍ケーキ類２０が収容されている。上記冷凍ケーキ類２０としては、冷凍ホットケーキ、冷菓ブッセ、冷菓シフォンケーキ、冷菓バームクーヘンなどが挙げられる。
【００３２】
また、トレー１の他端側に設けられたアイス収容用凹部３０には、カップ入りアイス４０が収容されている。カップ入りアイス４０は、紙製容器、プラスチック容器などからなるカップケースにアイスを充填し、カップケースの開口部に設けられた図示しないフランジ部に、シール状の蓋体４１を溶着、接着等の手段で固着して、開口部を封止したものである。ただし、カップ入りアイスとしては、他の形状のものであってもよい。
【００３３】
また、図３，４に示すように、アイス収容用凹部３０にカップ入りアイス４０が収容された状態で、スプーン６０の両端が、第１スプーン保持溝５１、第２スプーン保持溝５２に保持されている。
【００３４】
更に、このようにして冷凍ケーキ類２０、カップ入りアイス４０、スプーン６０が収納されたトレー１が、合成樹脂フィルム、合成樹脂フィルムに金属箔や紙などをラミネートしたフィルム、あるいは紙シートなどからなる包装材２で包装されている。包装形態は、特に限定されないが、ピロー包装が好ましく用いられる。
【００３５】
本発明の食品包装体によれば、トレー１には、アイス収容用凹部３０に収納されたカップ入りアイス４０の上部を跨ぐようにしてスプーン６０が配置されているので、スプーン６０が効率よくトレー１に収納されており、トレー寸法をより小型化できる。このため、食品包装体の寸法をより小型化できる。
【００３６】
また、図３に示すように、カップ入りアイス４０は、第１スプーン保持溝５１、第２スプーン保持溝５２にその両端が保持されたスプーン６０によってアイス収容用凹部３０に保持されているので、搬送時等に振動が生じても、カップ入りアイス４０がトレー１のアイス収容用凹部３０から飛び出すことが防止される。
【００３７】
更に、トレー１に収納されたスプーン６０は、その柄の部分がアイス収容用凹部３０の開口部に位置しているので、横から指で挟み込むようにして摘まんでトレーから容易に取り出すことができる。
【００３８】
この食品包装体の冷凍ケーキ類２０、カップ入りアイス４０を食する際には、包装材２を破ってトレー１を取出し、スプーン６０をスプーン保持溝５１，５２から取外し、アイス収容用凹部３０からカップ入りアイス４０を取出す。
【００３９】
そして、冷凍ケーキ類２０だけが収容されたトレー１を、例えば電子レンジに入れて、冷凍ケーキ類２０を加熱解凍する。ただし、冷凍ケーキ類２０は、自然解凍して食べることもできる。一方、アイスは、カップ入りアイス４０の蓋体４１をカップから取り外して開口させ、スプーン６０ですくって食べることができる。
【００４０】
したがって、ケーキ類と、カップ入りアイスとを同時に喫食でき、両者をトレーに入れて保持しつつ食することもできる。また、カップ入りアイスのアイスをスプーンですくって、ケーキ類に載せてトッピングして食することもできる。また、凹部１０の奥行きは、冷凍ケーキ類２０を所定個数（この実施形態では３個）重ねたときの高さよりもやや深くされているので、加熱解凍されたケーキ類の上に、アイスをトッピングしても、トレー外にアイスがこぼれ落ちることを防止できる。このように、ケーキ類と、アイスとを同時に味わえる、これまでにない斬新な組合せの食品を提供することができる。
【００４１】
本発明の食品包装体は、コンパクトな形状をなしているので、例えばコンビニエンスストアーなどに設置されているアイスボックスに入れて販売することもできる。
【符号の説明】
【００４２】
１：トレー
２：包装材
１０：冷凍ケーキ類保持用凹部
２０：冷凍ケーキ類
３０：アイス収容用凹部
４０：カップ入りアイス
４１：蓋体
５１：第１スプーン保持溝
５２：第２スプーン保持溝
５３：指入れ用凹部
６０：スプーン
【図１】
2010202262.tif 000003
【図２】
2010202262.tif 000004
【図３】
2010202262.tif 000005
【図４】
2010202262.tif 000006